(57)【特許請求の範囲】
【請求項１】
ズボンの内側に配置し、面ファスナーを備えた略長方形の吸収シートと、ズボンの内側に面ファスナーを備えた尿飛散対策シートであって、
前記ズボンの前部の内側の上部及び下部に備えた面ファスナーと、ズボンの内側に配置した吸収シートの上部及び下部に備えた面ファスナーとが通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作ることを防止した事を特徴とする、尿飛散対策シート。
【請求項２】
前記請求項1の尿飛散対策シートにおいて、略長方形の吸収シートに撥水性のシートを裏打ちしたもの、又は吸収シートの裏面を撥水加工したものであって、
前記ズボンの内側の前部の上部及び下部に備えた面ファスナーと、ズボンの内側に配置した吸収シートの上部及び下部に備えた面ファスナーは通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作ることを防止した事を特徴とする、尿飛散対策シート。
【請求項３】
ズボンの内側に配置し、略長方形の吸収シートの下部をズボンの前側の内側の下部に縫合した尿飛散対策シートであって、
前記ズボンの内側の上部に備えた面ファスナーと、ズボンの内側に配置した吸収シートの上部に備えた面ファスナーは通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作るのを防止する事を特徴とする、尿飛散対策シート。
【発明の詳細な説明】
【技術分野】
【０００１】
本発明は、男性が排尿時において、尿が飛散しズボン等に付着し、沁みが出来ることを予防するため、ズボン等の内側に配置する吸収シートに関するものである。
【背景技術】
【０００２】
尿もれを吸収するパンツやおむつは市販されており、尿の失禁に対する商品は市場に出回っている。
【０００３】
しかし男性が排尿時、尿の飛散によりズボン等の外部に付着し、沁みが出来る事への対策商品は未だ製造販売されていない。
【先行技術文献】
【特許文献】
【０００４】
【特許文献１】特開平2015-209612号
【特許文献２】特開平2011-190557号
【非特許文献】
【０００５】
【非特許文献１】七福  失禁パンツ  インターネット、ホームページ  http://www.sichifukusato.co.jp /
【非特許文献２】健美ケア  尿もれパンツ  インターネット、ホームページ  http://www.kenbicare.com/index.html
【発明の概要】
【発明が解決しようとする課題】
【０００６】
解決しようとする問題点は、男性の排尿時において尿が飛散しズボン等の外部に尿が付着し、沁みが出来るため、見栄えが悪い点である。
【０００７】
又、排尿が終了し陰茎を上下に揺らして、残尿を放出する際にも尿が飛散し、
ズボン等を濡らす事があり見栄えが悪い点である。
【課題を解決するための手段】
【０００８】
上記課題を達成するために、請求項1記載の本発明は、ズボンの内側に配置し、面ファスナーを備えた略長方形の吸収シートと、ズボンの内側に面ファスナーを備えた尿飛散対策シートであって、
前記ズボンの前部の内側の上部及び下部に備えた面ファスナーと、ズボンの内側に配置した吸収シートの上部及び下部に備えた面ファスナーとが通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作ることを防止した事を特徴とする、尿飛散対策シート。
【０００９】
前記課題を達成するために請求項2の本発明は、 前記請求項1の尿飛散対策シートにおいて、略長方形の吸収シートに撥水性のシートを裏打ちしたもの、又は吸収シートの裏面を撥水加工したものであって、
前記ズボンの内側の前部の上部及び下部に備えた面ファスナーと、ズボンの内側に配置した吸収シートの上部及び下部に備えた面ファスナーは通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作ることを防止した事を特徴とする、尿飛散対策シート。
【００１０】
前記課題を達成するために請求項3の本発明は、ズボンの内側に配置し、略長方形の吸収シートの下部をズボンの前側の内側の下部に縫合した尿飛散対策シートであって、
前記ズボンの内側の上部に備えた面ファスナーと、ズボンの内側に配置した吸収シートの上部に備えた面ファスナーは通常は結合しておき、前記吸収シートを前記ズボンの前部の内側に上下方向へ広がるように配置し、
排尿時には上部の面ファスナーを外し、吸収シートを外部に出した後に下へ垂らす事により、飛散した尿がズボンに沁みを作るのを防止する事を特徴とする、尿飛散対策シート。
【発明の効果】
【００１１】
本発明では、男性が排尿の時ズボン等のファスナーを開けた後、ズボン等の内側に配置してある吸収シートの上部の面ファスナーを外した後、取り出してズボン等の前部の下へ垂らしておく事により、飛散する尿は吸収シートに吸収され、ズボン等には付着しないため、沁みが出来るのを防止する事を可能にした。
【００１２】
排尿終了後は陰茎をズボン等の中に納めた後、吸収シートをズボン等の内側へ入れ、上部の面ファスナーに結合する事により、あとから沁み出してくる尿を吸収シートが吸収するため、ズボン等に沁み出してくるのを防止できる事を可能にした。
【００１３】
使用後の吸収シートは、トイレなどにおいて、取り外して新しい吸収シートと簡易に交換する事が可能であり、帰宅後に洗剤等を用いて洗濯する事が出来るため、第三者に不快な思いをさせることがない。
【図面の簡単な説明】
【００１４】
【図１】本発明に係る吸収シートを外部に取り出し、下部へ垂らした様子を示す説明図である。
【図２】本発明に係る吸収シートをズボン等の内部に配置した様子を示す説明図である。
【図３】吸収シートの平面図である。
【図４】吸収シートに撥水面を設けた側面図である。
【図５】吸収シートの下部をズボン等に縫合した説明図である。
【図６】下部を縫合した吸収シートをズボン等から取り出し、下部へ垂らした様子を示す説明図である。
【発明を実施するための形態】
【００１５】
以下、本発明の実施形態を図面により説明する。
各図に共通する部品には同一の符号を付し重複を省略した。
吸収シートの形態において、長方形のもの、長方形の角を丸くしたもの、台形にしたもの等、これらを略長方形と呼ぶ事とする。
【実施例１】
【００１６】
図1〜図6を参照して、本発明の実施例の形態を説明する。
【００１７】
図1は本発明の第1の実施例であって、吸収シート1を外部に出し下部へ垂らした様子を示したものであり、排尿時における尿の飛散は給水シート1に吸収されるため、ズボン等5に付着することなく快適に使用出来る様子を示している。
図2は本発明の第1の実施例であって、ズボン等5の内側に4つの面ファスナー2を備え、吸収シート1に備えた4つの面ファスナー2とそれぞれ結合している様子を示したものであり、外部からの目視では確認出来ないようにしている。
【００１８】
図3は本発明の第1の実施例の吸収シート1の平面図であって、吸収シート1に面ファスナー2を備えた様子を示している。
【００１９】
吸収シートの材質は綿素材でも吸収力があり可能であるが、出来れば尿の匂いを解消する消臭・抗菌加工された素材が望ましい。
【００２０】
図4は本発明の第2の実施例の側面図であって、吸収シート1Aの裏側に撥水面を設けファスナー2を備えた様子を示しており、飛散した尿がズボン等に沁みを作ることがなく快適である。
【００２１】
図5は本発明の第3の実施例の説明図であって、吸収シート1の上部とズボン等5の上部に面ファスナー2を備え、吸収シート1の下部とズボン等5の前部の下部とを縫合した様子を示している。
【００２２】
図6は本発明の第3の実施例の説明図であって、ズボン等5の上部と吸収シート1の上部の面ファスナー2との結合を外し、ズボン等5の外部の下部へ垂らした様子を示している。
【産業上の利用可能性】
【００２３】
本発明によれば、排尿時に尿が飛散した場合に、ズボン等5へ付着し沁みが出来ることを防止するため、仕事や生活の場において安心して過ごす事が可能である。
【符号の説明】
【００２４】
1    吸収シート
1A    吸収シート
2    面ファスナー
3    撥水面
4    縫い目
5    ズボン等
【図１】
0006684090.tif 000002
【図２】
0006684090.tif 000003
【図３】
0006684090.tif 000004
【図４】
0006684090.tif 000005
【図５】
0006684090.tif 000006
【図６】
0006684090.tif 000007